(57)【要約】【課題】粘性の比較的高い流動排泄物が肌に付着し難い吸収性物品を提供する。【解決手段】裏面シート、吸収体層、及び表面シートが積層されてなる積層体を備え、積層体を貫通する貫通孔が、装着時に装着者の肛門に対向する位置が含まれる範囲で形成されている。【選択図】図１Ａ
2020099445.tif 000002
【特許請求の範囲】
【請求項１】
裏面シート、吸収体層、及び表面シートが積層されてなる積層体を備え、
前記積層体を貫通する貫通孔が、装着時に装着者の肛門に対向する位置が含まれる範囲で形成されている、吸収性物品。
【請求項２】
前記貫通孔の前縁は、幅方向中央で前方凸状になっている、請求項１に記載の吸収性物品。
【請求項３】
前記貫通孔の後縁は、幅方向中央で後方凸状になっている、請求項１又は２に記載の吸収性物品。
【請求項４】
前記積層体の裏面側に、前記貫通孔の前方及び／又は後方に幅方向に沿って伸縮機構が設けられている、請求項１から３のいずれか一項に記載の吸収性物品。
【請求項５】
前記積層体の裏面側の両側部に前後方向に沿って伸縮機構が設けられている、請求項１から４のいずれか一項に記載の吸収性物品。
【請求項６】
前記裏面シート及び前記表面シートは透液性である、請求項１から５のいずれか一項に記載の吸収性物品。
【請求項７】
前記積層体は、裏面側に、肛門に対向する位置より後方に延在する防液シートを備えている、請求項１から６のいずれか一項に記載の吸収性物品。
【請求項８】
前記積層体の裏面側に、前記貫通孔を覆うように、多孔性のポケット形成用シートが設けられている、請求項１から７のいずれか一項に記載の吸収性物品。
【請求項９】
補助パッドとして、別の吸収性物品の表面側に重ねて用いられる、請求項１から８のいずれか一項に記載の吸収性物品。
【発明の詳細な説明】
【技術分野】
【０００１】
本発明は、吸収性物品に関する。
【背景技術】
【０００２】
使い捨ておむつ等の吸収性物品において、軟便等の粘性の高い流動排泄物の漏れに対応した構成が知られている。
【０００３】
例えば、特許文献１には、表面シート２１から吸収体２０までを厚み方向に貫通する貫通孔２４が形成されており、吸収体２０と裏面シート２２との間に、不織布等からなり且つ肌当接面に凹凸構造が形成されている拡散層２５を有し、拡散層２５が貫通孔２４の底部をなし、底部が肌当接面側において露出している吸収性物品１０が開示されている。特許文献１に開示の構成によれば、粘性の高い排泄物は、貫通孔２４を透過して到達した拡散層２５において、面内方向に拡散するようになっている。
【先行技術文献】
【特許文献】
【０００４】
【特許文献１】特開２０１６−１１２２３２号公報
【発明の概要】
【発明が解決しようとする課題】
【０００５】
しかしながら、特許文献１に記載の構成においては、排泄物の粘性がより高い場合や排泄物が一度に多量に排泄された場合等には、拡散層における拡散が十分な速度で進まず、排泄物が貫通孔内に滞留し、場合によっては貫通孔から溢れてしまうことがある。そのため、排泄物が皮膚と接触して、装着者に不快感を生じさせたり、かぶれ等を引き起こしたりする可能性がある。
【０００６】
上記の点に鑑みて、粘性の比較的高い流動排泄物が肌に付着し難い吸収性物品を提供することを課題とする。
【課題を解決するための手段】
【０００７】
本発明の第一の態様は、裏面シート、吸収体層、及び表面シートが積層されてなる積層体を備え、前記積層体を貫通する貫通孔が、装着時に装着者の肛門に対向する位置が含まれる範囲で形成されている。
【０００８】
上記第一の態様によれば、裏面シート、吸収体層、及び表面シートが積層されてなる積層体を貫通する貫通孔が、肛門に対向する位置が含まれる範囲で形成されていることで、排泄物を、貫通孔を通して積層体の非肌側（裏面側）へと落とすことができる。これにより、例えば当該吸収性物品の非肌側に別の吸収性物品（使い捨ておむつ等）を取り付けた場合、排泄物をその別の吸収性物品の側へ落とすことができる。
【０００９】
また、落とされた排泄物が流動性であり且つ粘性が高い場合、排泄物は、上記別の吸収性物品に部分的に吸収されるが十分には吸収されず、別の吸収性物品の表面上で周囲へ流動して広がる。このように広範囲に広がった排泄物が装着者の肌に接触した場合、装着者に不快感が生じたり、かぶれ等を引き起こしたりし得る。これに対し、本態様による吸収性物品が介在していれば、周囲に広がった排泄物が肌に直接接触することを阻止することができる。これにより、装着者に生じ得る不快感やかぶれ等を防止することができる。
【００１０】
本発明の第二の態様では、前記貫通孔の前縁は、幅方向中央で前方凸状になっている。
【００１１】
上記第二の態様によれば、装着時に、貫通孔の前縁の凸状の先端が基点となって吸収性物品が容易に曲がり、貫通孔の前端から前方の部分の幅方向中央を肌方向（積層体の表面側に向かって）に隆起させることができ、積層体と非肌側に取り付けられた別の吸収性物品との間に空間を形成することができる。これにより、肛門より前方において、一旦排泄された排泄物が肌に接触することをより効果的に防止することができる。
【００１２】
上記第三の態様では、前記貫通孔の後縁は、幅方向中央で後方凸状になっている。
【００１３】
本発明の第三の態様によれば、装着時に、貫通孔の後縁の凸状の先端が基点となって吸収性物品が折れ曲がり、貫通孔の後端から後方の部分の幅方向中央を肌方向に隆起させることができ、積層体と非肌側に取り付けられた別の吸収性物品との間に空間を形成することができる。これにより、肛門より後方において、一旦排泄された排泄物が肌に接触することをより効果的に防止することができる。
【００１４】
本発明の第四の態様では、前記積層体の裏面側に、前記貫通孔の前方及び／又は後方に幅方向に沿って伸縮機構が設けられている。
【００１５】
上記第四の態様によれば、幅方向に沿った伸縮機構は、貫通孔より前方及び／又は後方の位置で、積層体の裏面側において、幅方向中央に向かって縮まる。これにより、積層体の表面側が隆起しやすくなり、貫通孔より前端から前方の部分及び／又は貫通孔より後端から後方の部分を肌方向に隆起させるという上述の作用を一層高めることができる。
【００１６】
本発明の第五の態様では、前記積層体の裏面側の両側部に、前後方向に沿って伸縮機構が設けられている。
【００１７】
上記第五の態様によれば、前後方向に沿った伸縮機構は、裏面側の両側部で、前後方向内方に向かって縮まる。これにより、積層体の表面側が隆起しやすくなり、貫通孔の両側部を肌方向に隆起するように湾曲させることができ、ひいては伸縮機構間の領域も肌方向に隆起するように湾曲させることができる。これにより、積層体と非肌側に重ねられた別の吸収性物品との間での空間の形成を助成することができる。
【００１８】
本発明の第六の態様では、前記裏面シート及び前記表面シートは透液性である。
【００１９】
上記第六の態様によれば、尿等の粘性の低い排泄物を積層体の吸収体に吸収させるとともに、非肌側に重ねられた別の吸収性物品へと吸収・拡散させることができる。
【００２０】
本発明の第七の態様では、前記積層体は、裏面側に、肛門に対向する位置より後方に延在する防液シートを備えている。
【００２１】
上記第七の態様によれば、防液シートによって、肛門に対向する位置より後方の領域で、排泄物が積層体を介して肌方向に逆戻りすることを防止することができる。その一方で、肛門に対向する位置より前方の領域では、尿等の粘性の低い排泄物を、積層体の裏面側に重ねられた別の吸収性物品へと吸収・拡散させることができる。
【００２２】
本発明の第八の態様では、前記積層体の裏面側に、前記貫通孔を覆うように、多孔性のポケット形成用シートが設けられている。
【００２３】
上記第八の態様によれば、ポケット形成用シートが設けられていることで、着用時に、積層体の裏面側にポケットを形成することができ、このポケットには、貫通孔を通して非肌側へと落とされた排泄物を受容することができる。比較的多量の排泄物が排泄されても面方向に広がり難くなり、漏れを防ぐことができる。また、ポケット形成用シートが多孔性になっていることで、排泄物を濾過し、その液体分を非肌面側の別の吸収性物品に吸収させることができる。これにより、排泄物の流動性を迅速に失わせることができるので、吸収されていない排泄物が流動して漏れることを防止することができる。
【００２４】
本発明の第九の態様は、補助パッドとして、別の吸収性物品の表面側に重ねて用いられる吸収性物品である。
【００２５】
上記第九の態様によれば、本吸収性物品を、使い捨ておむつ等の主たる別の吸収性物品の表面側（内側）に配置する使い捨ての補助パッドとして用いることで、主たる吸収性物品をより快適に使用することができる。
【発明の効果】
【００２６】
本発明の一態様によれば、粘性の比較的高い流動排泄物が肌に付着し難い吸収性物品を提供することができる。
【図面の簡単な説明】
【００２７】
【図１Ａ】本発明の一形態による吸収性物品の平面図である。
【図１Ｂ】図１のＸ１−Ｘ１線断面図である。
【図１Ｃ】図１のＸ１'−Ｘ１'線断面図である。
【図２】本発明の一形態による吸収性物品を補助パッドとして別の使い捨ておむつに装着した状態を示す斜視図である。
【図３】貫通孔の拡大図である。
【図４】貫通孔の変形例を示す図である。
【図５Ａ】本発明の別の形態による吸収性物品の平面図である。
【図５Ｂ】図５ＡのＸ２−Ｘ２線断面図である。
【図５Ｃ】本発明の別の形態による吸収性物品の変形例の、図５Ｂ（ｂ）に対応する断面図である。
【図６Ａ】本発明のさらに別の形態による吸収性物品の平面図である。
【図６Ｂ】図６ＡのＸ３−Ｘ３線断面図である。
【図７】本発明のさらに別の形態による吸収性物品の平面図である。
【発明を実施するための形態】
【００２８】
以下、本発明の実施の形態について図面を参照しながら説明する。なお、各図面において、特に説明がない限り、同一の又は対応する構成については同一の符号を付して説明を省略する場合がある。
【００２９】
（吸収性物品の基本構造）
まず、本発明の実施形態による吸収性物品の基本的な構造について説明する。本発明の一形態による吸収性物品は、使い捨ておむつの内側（肌側又は表面側）に重ねて用いられる補助パッドとして好適に用いることができるので、補助パッドの例に基づき説明する。
【００３０】
図１Ａに、本発明の一形態による吸収性物品１００を肌側（表面側）から見た平面図を示す。また、図１Ｂに、図１ＡのＸ１−Ｘ１線断面図を、図１Ｃに図１ＡのＸ１'−Ｘ１'線断面図を示す。図１Ａ〜図１Ｃに示すように、吸収性物品１００は、少なくとも裏面シート２２、吸収体層３０、及び表面シート２１が積層されてなる積層体Ｓを有している。
【００３１】
吸収性物品１００を補助パッドとして適用する主たる使い捨ておむつの形態は、特に限定されず、テープタイプ、パンツタイプ、パッドタイプ等であってよい。吸収性物品１００は、このような主たるおむつの内側（肌側）に、例えば表面シート上に、装着者の股間に対応する領域に対応するよう取り付けられ、場合によって粘着テープ等で固定される。
【００３２】
図２に、補助パッドである吸収性物品１００が、例としてテープタイプの主たる使い捨ておむつ１０に取り付けられた状態を示す。図２に示すように、主たる使い捨ておむつ１０が、肌側に立ち上がるギャザーＧ、Ｇを有している場合には、吸収性物品１００は、ギャザーＧ、Ｇの間に入るようおむつ１０に取り付けることができる。吸収性物品１００を主たる使い捨ておむつ１０に取り付け、吸収性物品１００の表面シート２１が、装着者の肌に直接接触することになり、一方、吸収性物品１００の裏面シート２２は、主たる使い捨ておむつ１０の表面シートに接触して重ねられる。
【００３３】
図１Ａに戻って、吸収性物品１００は、平面視で、第１方向（前後方向）Ｄ１に所定の長さを有し、第１方向Ｄ１と直交する第２方向（幅方向）Ｄ２に所定の幅を有する。図１Ａの形態では、吸収性物品１００の幅は長さより短い。すなわち、吸収性物品１００は、全体として細長い長方形の平面視形状を有している。吸収性物品１００の前方及び後方は、装着時（吸収性物品１００を装着した状態）で、それぞれ腹側及び背側に相当する。
【００３４】
吸収性物品１００の前後方向Ｄ１の長さ（全長）は、３００〜５５０ｍｍ程度、幅方向Ｄ２の長さ（幅）は１５０〜３００ｍｍ程度とすることができる。吸収性物品１００の幅は、前後方向Ｄ１にわたって一定であるが、前後方向Ｄ１の中央付近が前後の領域に比べて幅が狭くなって括れていてもよい。吸収性物品１００の大きさ及び形状は、使用時に重ねられる主たるおむつをはみ出さないことが好ましい。また、吸収性物品１００の形状は、前後方向に延びる中心線ＣＬを対称線として線対称とすることができるが、必ずしも線対称である必要はない。なお、吸収性物品１００の構成（表面シート２１、裏面シート２２、吸収体３０等の各要素の大きさ、形状、配置等）も線対称であってよいが、吸収性物品１００の形状と同様、線対称でなくてもよい。
【００３５】
吸収性物品１００は、装着時に装着者の股間部（少なくとも排尿口から肛門までわたる部位）に対応するように装着される。図１Ａには、装着時に装着者の肛門に対向する位置（肛門対向位置）４８を示す。図示の形態では、肛門対向位置４８は、吸収性物品１００の、前後方向Ｄ１で見て中央より後方の領域に位置しているが、肛門対向位置４８の前後方向Ｄ１の位置は、吸収性物品１００の全長や形状によって、吸収性物品１００の前後方向Ｄ１中央付近となる場合もあるし、前後方向Ｄ１中央より前方となる場合がある。
【００３６】
表面シート２１及び裏面シート２２は、同じ形状及び大きさとすることができる。また、表面シート２１及び裏面シート２２の外形の輪郭は、吸収性物品１００自体の外形の輪郭と同じとすることができる。また、表面シート２１及び裏面シート２２の外形は、吸収体層３０の外形より大きくなっており、表面シート２１及び裏面シート２２は、吸収体層３０の周囲で、ヒートシールや超音波シール、接着剤等によって接合されている。
【００３７】
表面シート２１及び裏面シート２２はいずれも透液性であってよい。表面シート２１及び裏面シート２２の両シートを透液性とすることで、尿等の液状の排泄物を表面側から裏面側へと通過させることができ、主たるおむつ（図２）で迅速に吸収させることが可能となる。よって、吸収性物品１００を補助パッドとしての用途で、好適に用いることができる。両シートの透液性の度合いは、同じであってもよいし、異なっていてもよい。
【００３８】
表面シート２１及び裏面シート２２としては、有孔又は無孔の不織布や穴あきプラスチックシートなどを用いることができる。不織布を構成する素材繊維としては、ポリエチレン、ポリプロピレン等のオレフィン系、ポリエステル系、アミド系等の合成繊維の他、レーヨン、キュプラ等の再生繊維、綿等の天然繊維を用いることができる。
【００３９】
なお、表面シート２１の材料としては、スパンボンド不織布を用いることが好ましい。また、裏面シート２２の材料としては、エアスルー不織布を用いることが好ましい。
【００４０】
表面シート２１及び裏面シート２２が同じ材料から構成されているか、又は同様の透液性を有する構成を有している場合、吸収性物品１００は裏表を逆にして用いることもできる。その場合、裏面シート２２側に防液シートや伸縮部材等の部材（後述）が設けられていない構成とする。
【００４１】
吸収体層３０は、パルプ繊維の積繊体、セルロースアセテート等のフィラメントの集合体、不織布等であってよく、必要に応じて粒子状等の高吸収性ポリマーを混合、固着等してなるものを用いることができる。高吸収性ポリマー粒子を混合する場合等、粒子のこぼれを防ぐために、吸収体層は、不織布やクレープ紙等の包装シートで包まれていることが好ましい。
【００４２】
吸収体層３０は、１層から構成されていてもよいし、複数層から構成されていてもよい。複数層から構成されている場合には、各層が包装シートによって包まれていてもよいし、包装シートが層間に挟まれていてもよい。包装シートは、無着色（すなわち、白色）であってもよいし、着色されていてもよい。色は、排出された体液の色を目立たなくすることができる色、例えば体液の色に近い色、又は体液の色の補色若しくはそれに近い色等にすることができる。
【００４３】
吸収体３０における繊維目付及び高吸収性ポリマーの目付は適宜定めることができるが、繊維目付は１００〜７００ｇ／ｍ2程度とするのが好ましく、また吸収性ポリマーの目付は５０〜５５０ｇ／ｍ2程度とするのが好ましい。また、吸収体層３０の全厚は、１〜８ｍｍとすることができる。
【００４４】
（貫通孔）
図１Ａ及び図１Ｂに示すように、吸収性物品１００は、吸収性物品１００の厚み方向に、積層体Ｓを貫通する貫通孔４０を有している。すなわち、表面シート２１、吸収体層３０、及び裏面シート２２のいずれにも孔が形成されている。図１Ａに示すように、貫通孔４０は、肛門対向位置４８を含む範囲（領域）にわたって設けられている。これにより、装着者から排泄される排泄物（例えば、肛門から排泄される大便）を、貫通孔４０を通して、積層体Ｓの裏面側へ、すなわち吸収性物品１００の裏面側に装着された主たるおむつ１０（図２）の側へと落とすことができる。
【００４５】
排泄物が、軟便のような流動性があり且つ粘性の高い排泄物である場合、主たるおむつ上に落とされた排泄物は、主たるおむつに部分的に吸収されるものの、主たるおむつの表面シート上に残留し、周囲へと面積を広げつつ流動して広がっていく。ここで、主たるおむつが装着者に直接当てがわれていたとすると、排泄物が広面積で肌と接触し得ることになる。これに対し、本形態による吸収性物品１００を用いることで、吸収性物品１００が装着者の肌と主たるおむつとの間に介在することができるので、広がった排泄物が装着者の肌に直接接触しないようにすることができる。より具体的には、貫通孔４０の周囲の積層体Ｓの部分が装着者の肌と主たるおむつとの間に介在しているので、積層体Ｓの裏面側に落とされた排泄物が主たるおむつ上で広がっても、排泄物の肌への接触を阻止することができるか、又は排泄物と肌との接触面積を最小限にすることができる。
【００４６】
図１Ａに示すように、貫通孔４０は、肛門対向位置４８を含むよう所定の広がりをもって形成されている。図示の形態では、肛門対向位置４８が、吸収性物品１００の前後方向Ｄ１中央から後方の領域に含まれるので、貫通孔４０も、主として、吸収性物品１００の前後方向Ｄ１の中央から後方の領域に形成されている。しかし、吸収性物品１００における貫通孔４０の位置は、肛門対向位置４８の位置によって、吸収性物品１００の前後方向Ｄ１中央付近に形成されていてもよいし、前後方向Ｄ１の中央から前方の領域に形成されていてもよい。
【００４７】
貫通孔４０の構成についてより詳細に説明するために、図３に、図１Ａの吸収性物品１００における貫通孔４０及びその周辺を拡大した図を示す。図３においては、構成の一部を省略している。
【００４８】
貫通孔４０は、吸収性物品１００の厚み方向に排泄物を通過させ、且つ流動性のある排泄物が肛門から排泄される際に多少周囲に広がっても、積層体Ｓに付着しにくいような形状及び大きさとなっている。貫通孔４０全体の前後方向Ｄ１の最大長さＬは、５０〜２００ｍｍ程度とすることができ、貫通孔４０全体の幅方向Ｄ２の最大長さ（最大幅）Ｗは、５０〜１５０ｍｍ程度とすることができる。また、貫通孔４０は、前後方向中心線ＣＬを対称軸とする線対称の形状を有していると好ましい。最大幅Ｗに対する最大長さＬの比の値は、０．８〜１．４であると好ましく、０．９〜１．３であるとより好ましい。
【００４９】
貫通孔４０は、説明の便宜上、図３に示すように、平面視で、前凸部４１と、中間部４２と、後凸部４３とに分けることができる。
【００５０】
中間部４２は、図示の形態では、幅方向Ｄ２に沿って長辺を有する長方形となっている。幅方向Ｄ２の側方の輪郭は曲線になっていてもよく、例えば、幅方向Ｄ２外側に膨らむよう湾曲していてもよい。中間部４２の前端及び後端は、幅方向Ｄ２に沿って直線状に延びていてよい。
【００５１】
図３に示すように、肛門対向位置４８は、中間部４２に含まれることが好ましい。前凸部４１及び後凸部４３は、後述のように装着時に幅が狭くなり閉じられる場合があるため、肛門対向位置４８が中間部４２に含まれていた方が、排泄物を、確実に貫通孔４０を通して吸収性物品１００（積層体Ｓ）の裏面側へと落とすことができる。
【００５２】
中間部４２の前後方向Ｄ１の長さは、２０〜５５ｍｍであると好ましく、２５〜４５ｍｍであるとより好ましい。また、中間部４２の幅ｗ２（中間部４２の幅が前後方向Ｄ１に一定でない場合には最大幅）は、貫通孔４０全体の最大幅Ｗに等しく、５０〜１５０ｍｍ程度とすることができる。また、中間部４２の幅ｗ２は、吸収体層３０の幅の６５〜８５％であってよい。
【００５３】
前凸部４１は、中間部４２の前端から前方に突出する部分である。図示の形態では、前凸部４１の形状は、底辺を後方に有し、且つ底辺に対向する頂点を前方に前後方向中心線ＣＬ上に有する二等辺三角形となっている。前凸部４１の後端は、中間部４２の前端と重なっているが、中間部４２の前端よりも長さが短くなっている。すなわち、貫通孔４０の前端は、幅方向Ｄ２の一部のみが、具体的には幅方向Ｄ２中央の部分が前方に凸状となっている。
【００５４】
吸収性物品１００は、装着時には、主として装着者の股間部に対応するように配置されるので、幅方向Ｄ２外側から中央に向かって両脚からの力を受けて変形する。その場合、貫通孔４０の前縁の先端（前凸部４１の凸の頂点）が基点となって曲がり、前縁の先端及びその周辺の部分を肌側へ容易に隆起させることができる。この際、吸収性物品１００は、前凸部４１の前方の頂点から延びる２辺が前後方向中心線ＣＬに近付くように、盛り上がる。
【００５５】
このように、装着時に、貫通孔４０の前端及びその周辺を肌側に隆起させることができるので、貫通孔４０より前方の領域の幅方向Ｄ２中央において、吸収性物品１００とその裏面側に重ねられた主たるおむつ１０（図２）との間に空間を形成することができる。このような空間に、一旦排泄された排泄物を溜めることができるので、肛門より前方の肌に排泄物が直接接触することをより効果的に防止することができる。
【００５６】
前凸部４１の最大長さ（前後方向中心線ＣＬ上での長さ）Ｌ１は、２０〜５５ｍｍであると好ましく、３０〜４０ｍｍであるとより好ましい。また、前凸部４１の最大幅（前凸部４１の後端の幅）ｗ１は、１０〜５５ｍｍであると好ましく、３０〜４５ｍｍであるとより好ましい。
【００５７】
図３に示すように、前凸部４１の最大幅ｗ１は、中間部４２の幅ｗ２（貫通孔４０の幅Ｗ）より小さくなっている。これにより、貫通孔４０の前方に段部が形成され、前凸部４１の両側の積層体Ｓによって斜後方に突出するフラップ状部分が形成されることになる。一般に、使い捨ておむつの装着時には、肛門より前方の肌はおむつに密着しやすいが、本形態のように、貫通孔４０の前方にフラップ状部分が形成されていることによって、装着者の肛門部の前方の肌を、一旦排泄され面方向に広がった排泄物から良好に保護することができる。なお、前凸部４１の最大幅Ｗ１は、中間部４２の幅Ｗ２（貫通孔４０の幅Ｗ）に対して、２０〜６０％程度とすることができる。
【００５８】
前凸部４１の前方の頂点の角度αは、３０〜１００°とすることができる。角度αを上記範囲とすることで、貫通孔４０の前端及びその周辺の積層体を肌側に隆起させやすく、また吸収性物品１００を装着した状態でその隆起した状態を良好に維持することができる。
【００５９】
なお、図示の形態では、前凸部４１の前方の先端は尖っているが、丸みがあるように構成されていてもよい。先端に丸み付けすることで、吸収性物品１００の装着時には前凸部４１の先端が湾曲するように変形して隆起するので、先端が肌に当たることによる違和感を低減することができる。
【００６０】
後凸部４３は、中間部４２の後端から後方に突出する部分である。図３に示すように、後凸部４３の形状は、底辺を前方に有し、且つ底辺に対向する頂点を後方に前後方向中心線ＣＬ上に有する二等辺三角形となっている。
【００６１】
後凸部４３を有していることによって、貫通孔４０の後縁の形状は、幅方向Ｄ２中央で後方凸状となっている。よって、装着時に吸収性物品１００が両脚からの力を受けた場合、貫通孔４０の後縁の先端（後凸部４３の凸の頂点）が基点となって曲がり、後縁の先端及びその周辺の部分を肌側へ容易に隆起させることができる。この際、吸収性物品１００は、後凸部４３の後方の頂点から延びる２辺が前後方向中心線ＣＬに近付くように、盛り上がる。
【００６２】
このように、装着時に、貫通孔４０の後端及びその周辺を肌側に隆起させることができるので、貫通孔４０より後方の領域の幅方向Ｄ２中央において、吸収性物品１００とその裏面側に重ねられた主たるおむつ１０（図２）との間に空間を形成することができる。このような空間に一旦排泄された排泄物を溜めることができるので、肛門より後方の肌に排泄物が直接接触することをより効果的に防止することができる。
【００６３】
後凸部４３の最大長さ（前後方向中心線ＣＬ上での長さ）Ｌ３は、２０〜６０ｍｍ程度とすることができる。後凸部４３の最大長さを上記範囲とすることで、貫通孔４０の後端及びその周辺を肌側に隆起させやすく、また吸収性物品１００を装着した状態でその隆起した状態を良好に維持することができる。
【００６４】
後凸部４３の後方の頂点の角度βは、８０〜１５０°であると好ましい。角度βを上記範囲とすることで、装着時に、貫通孔４０より後方の領域が、後方に向かって徐々に間隔が大きくなる臀部の溝の形状に沿うように変形でき、臀部を排泄物の付着から効果的に保護することが可能となる。
【００６５】
また、図示の形態では、後凸部４３の前端の幅は、中間部４２の幅Ｗ２に等しい。これにより、後凸部４３を、中間部４２から後方に向かって幅が徐々に小さくなるような形状に構成することができる。使い捨ておむつは、装着者が仰臥位で寝ている状態で使用される場合が多く、軟便のような流動性がある排泄物は前方より後方へと移行しやすい。そのため、このように後凸部４３の前端の幅を中間部４２の幅Ｗ２と同じくして、貫通孔４０の後方を、前方よりも広く形成することで、排泄物が、貫通孔４０の後方の周縁の吸収性物品１００（積層体Ｓ）に付着しやすくなることを防止することができる。
【００６６】
なお、図示の形態では、後凸部４３の後方の先端は尖っているが、前凸部４１の前方の先端と同様に、丸み付けされていてもよい。先端に丸みがあることで、吸収性物品１００の装着時に後凸部４３の先端が湾曲するように変形して隆起するので、先端が肌に当たることによる違和感を低減することができる。
【００６７】
図４に、貫通孔４０の変形例を示す。図４（ａ）に示す貫通孔４０ａは、貫通孔４０と同様に、前凸部４１ａ、中間部４２ａ、及び後凸部４３ａを有しているが、前凸部４１ａ及び後凸部４３ａの形状が、貫通孔４０の場合と異なっている。すなわち、前凸部４１ａの形状は略三角形であるが、前方の頂点から延びる２辺は直線ではなく、幅方向Ｄ２外側に膨らむ曲線となっている。また、後凸部４３ａの形状も略三角形であるが、後方の頂点から延びる２辺が直線ではなく、幅方向Ｄ２外側に膨らむ曲線となっている。
【００６８】
図４（ｂ）に示す貫通孔４０ｂは、貫通孔４０と同様に、前凸部４１ｂ、中間部４２ｂ、及び後凸部４３ｂを有しているが、前凸部４１ｂ及び後凸部４３ｂの形状が、貫通孔４０の場合と異なっている。すなわち、前凸部４１ｂの形状は略三角形であるが、前方の頂点から延びる２辺は直線ではなく、幅方向Ｄ２内側に膨らむ曲線となっている。また、後凸部４３ａの形状も略三角形であるが、後方の頂点から延びる２辺が直線ではなく、幅方向Ｄ２内側に膨らむ曲線となっている。
【００６９】
図１Ａ並びに図４（ａ）及び（ｂ）に示す前凸部及び後凸部の形状は、互いに組み合わせることができる。例えば、前凸部の形状を、図１Ａに示すような直線の辺を有する二等辺三角形とし、且つ後凸部の形状を、図４（ａ）に示すような、幅方向Ｄ２外側に膨らむ曲線状の辺を有する略三角形状とすることができる。
【００７０】
（防液シート）
図１Ａ及び図１Ｃに示すように、吸収性物品１００は、裏面シート２２側に重ねられた防液シート２５を備えていてよい。すなわち、積層体Ｓが、防液シート２５を含んでいてよい。防液シート２５は、裏面シート２２と重ねられている範囲で、裏面シート２２と同じ形状を有していてよい。すなわち、貫通孔４０は、表面シート２１、吸収体層３０、裏面シート２２、及び防液シート２５を貫通して設けられていてよい。
【００７１】
防液シート２５としては、ポリエチレン、ポリプロピレン等のポリオレフィンフィルム等を用いることができる。また、ムレ防止の点から遮水性を損なわずに透湿性を備えたシートも用いることができる。例えば、樹脂中に無機充填材を溶融混練してシートを形成した後、一軸又は二軸方向に延伸することにより得られる微多孔性シートであってよい。
【００７２】
防液シート２５を裏面シート２２の裏側に設けることで、貫通孔４０からおむつ１０（図２）へ落とされ面方向に広がった排泄物の水分が多い場合等であっても、排泄物が再び吸収性物品１００を介して肌側に逆戻りすることを防止することができる。
【００７３】
図示の形態では、防液シート２５は、前後方向Ｄ１には貫通孔４０の中間部４２、具体的には中間部４２の前端から吸収性物品１００の後端まで、また幅方向Ｄ２には吸収性物品１００の全幅にわたり延在している。吸収性物品１００は装着者が仰臥位で寝ている状態で使用される場合が多く、排泄物は後方に広がりやすいが、防液シート２５が貫通孔４０の中間部４２から後方に設けられていることで、排泄物の逆戻りを効果的に防止することができる。よって、防液シート２５の前端は、少なくとも肛門対向位置４８の直ぐ後方に位置することが好ましく、肛門対向位置４８を前方に越えた位置にあることがより好ましい。
【００７４】
また、防液シート２５は、貫通孔４０の前凸部４１の後端から吸収性物品１００の前端にわたって設けられていない。これにより、装着者の肛門より前方に位置する排尿口から排泄された尿を、吸収性物品１００を通して裏面側に重ねられた、より吸収体量の多いおむつ１０に移行させることができる。よって、尿漏れを防ぐ観点から、防液シート２５の前端は、前後方向Ｄ１で見て貫通孔４０の前端を越えないことが好ましい。
【００７５】
（伸縮機構付きの形態）
図５Ａに、本発明の別の実施形態による吸収性物品１００Ａを示す。吸収性物品１００Ａは、基本的な構成は吸収性物品１００（図１Ａ）と同じであるが、裏面シート２２側に、貫通孔４０の前後にそれぞれ、幅方向Ｄ２に伸縮可能な幅方向伸縮機構５１、５１を備えている点で、吸収性物品１００と異なる。
【００７６】
幅方向伸縮機構５１、５１は、裏面シート２２側に配置されている。また、幅方向伸縮機構５１、５１は、前後方向中心線ＣＬを跨るように幅方向Ｄ２に延在し、幅方向Ｄ２に延びる糸状の弾性部材５１ａ、５１ａを含んでいてよい。より具体的には、幅方向伸縮機構５１は、例えば、弾性部材５１ａを伸長状態で裏面シート２２又は防液シート２５に配置し、帯状のテープで覆うように留めたもの、或いは弾性部材５１ａを伸長状態で表裏両面から２つの帯状のテープで挟んだものを裏面シート２２又は防液シート２５に接着させたものであってよい。装着時（使用時）には、弾性部材５１ａ及び収縮機構５１は、伸長状態から無負荷の収縮状態となる。
【００７７】
弾性部材５１ａは、糸状、紐状、帯状等に形成された、スチレン系ゴム、オレフィン系ゴム、ウレタン系ゴム、エステル系ゴム等から製造されたものであってよい。弾性部材５１ａの伸長率、すなわち自然長（上述の収縮状態）１００％に対する伸長時の最大長さは、２４０〜２９０％であると好ましく、２６０〜２８０％であるとより好ましい。
【００７８】
図５Ｂに、図５ＡのＸ２−Ｘ２線断面図、すなわち、後方の幅方向伸縮機構５１の位置で幅方向Ｄ２に切った断面図を示す。図５Ｂ（ａ）は、吸収性物品１００Ａに幅方向Ｄ２両側に引っ張った状態にある幅方向伸縮機構５１の伸長状態を示し、図５Ｂ（ｂ）は、上記幅方向Ｄ２外方の力が解除された、幅方向伸縮機構５１の収縮状態を示す。
【００７９】
図５Ｂ（ａ）に示すように、幅方向伸縮機構５１の幅方向Ｄ２両端は両端接着部分５１ｃ、５１ｃとなっており、防液シート２５に接着されているが、幅方向Ｄ２中央部分は裏面シート２２と接着されていない。よって、図５Ｂ（ｂ）に示すように、幅方向伸縮機構５１に幅方向Ｄ２両側への伸長が解除されると、幅方向伸縮機構５１の接着部分５１ｃが互いに前後方向Ｄ１中央に近付くことになる。これにより、積層体Ｓには、幅方向Ｄ２に縮まる方向に力が加えられるため、幅方向伸縮機構５１に接着されていない積層体Ｓの中央部分を、肌方向へ容易に盛り上げることができる。
【００８０】
本形態によれば、上述のように、積層体Ｓの、貫通孔４０の前端から前方の部分は、貫通孔４０の前端が基点となって肌方向（積層体の表面側に向かって）に隆起させることができるが、このような作用は、前方の幅方向伸縮機構５１があることで一層高めることができる。また、積層体Ｓの貫通孔４０の前端から後方の部分を、貫通孔４０の後端が基点となって肌方向に隆起させるという作用も、後方の幅方向伸縮機構５１によって一層高められる。
【００８１】
なお、前方の幅方向伸縮機構５１の断面は図示していないが、前方の幅方向伸縮機構５１は、防液シート２５ではなく、裏面シート２２に直接接着された構成となる。
【００８２】
前方及び後方の幅方向伸縮機構５１、５１はいずれも、吸収性物品１００の裏面側に排泄物が落とされる際にその妨げとならないように、平面視で貫通孔４０と重ならないことが好ましい。例えば、幅方向伸縮機構５１、５１はそれぞれ、平面視で貫通孔４０の前縁から前方に又は後縁から後方に、５〜２５ｍｍ程度離して設けられていることが好ましい。
【００８３】
また、図示の形態では、幅方向伸縮機構５１、５１は、貫通孔４０の前後に両方設けられているが、貫通孔の前方及び後方のいずれかに設けられていてもよい。
【００８４】
図５Ｃに、幅方向伸縮機構５１、５１を備えた吸収性物品１００Ａ（図５Ｂ（ｂ））の変形例を示す。図５Ｃは、幅方向伸縮機構５１、５１の収縮状態を示す（図５Ｂ（ｂ）に対応）。図５Ｃの例では、幅方向伸縮機構５１全体が、防液シート２５に、幅方向Ｄ２に沿って接着されている構成となっている。本例では、幅方向伸縮機構５１が縮んだ状態では、積層体Ｓの裏面シート２２側、すなわち吸収体層３０の一部、裏面シート２２、及び防液シート２５の幅方向Ｄ２中央にひだが形成され、表面シート２１、吸収体層３０、及び裏面シート２２を含む積層体部分が肌方向に盛り上がる。
【００８５】
図６Ａに、本発明の別の実施形態による吸収性物品１００Ｂを示す。また、図６Ｂに、図６ＡのＸ３−Ｘ３断面図を示す。図６Ａ及び図６Ｂに示すように、吸収性物品１００Ｂは、吸収性物品１００（図１Ａ）の構成に加えて、前後方向Ｄ１に伸縮可能な前後方向伸縮機構５２、５２を設けたものである。
【００８６】
図６Ａ及び図６Ｂに示すように、前後方向伸縮機構５２、５２は、弾性部材５２ａ、５２ａを含み、吸収性物品１００Ｂの両側部に前端から後端まで延びる帯状のシートとして構成することができる。前後方向伸縮機構５２、５２は、弾性部材５２ａを伸長状態で前後方向Ｄ１に延在させて設けたものであってよく、例えば、弾性部材５２ａを伸長状態で２枚の帯状シートに挟んだ構成とすることができる。前後方向伸縮機構５２の前端及び後端、並びに幅方向Ｄ２外側の側端は、接着剤等で裏面シート２２又は防液シート２５に接着されており、少なくとも弾性部材５２ａ、５２ａを含む領域は接着されておらず自由になっている（図６Ｂ）。前後方向伸縮機構５２は裏面シート２２側に設けられている点では異なるが、前後方向伸縮機構５２、５２は、当分野で公知の横漏れ防止用のギャザーシートと同様の構成及び配置とすることができる。
【００８７】
弾性部材５２ａは、上述した弾性部材５１ａと同様の材質とすることができる。弾性部材５２ａ、５２ａは、平面視で、前後方向Ｄ１に、少なくとも貫通孔４０を含むように延在していることが好ましい。すなわち、弾性部材５２ａの前端は貫通孔４０の前端を前方に越えるよう、弾性部材５２ａの後端は貫通孔４０の後端を後方に越えるように延在していることが好ましい。
【００８８】
前後方向伸縮機構５２、５２は、使用時には、伸長状態が解除されるので収縮状態となるため、ギャザーが形成される。これにより、積層体Ｓは、肌方向へと膨らむように湾曲することができる。よって、貫通孔４０が形成されている領域において、吸収性物品１００Ｂとその裏面側に重ねられた主たるおむつとの間に空間をより一層形成しやすくなる。また、吸収性物品１００Ｂは肌に密着しやすくなり、確実に排泄物との接触から肌を保護することができる。
【００８９】
また、積層体Ｓの裏面側に比較的多量の排泄物が排泄されて横方向Ｄ２に広がった場合でも、前後方向伸縮機構５２、５２が、排泄物の横方向Ｄ２外側への移行を阻止することができるので、脚周りでの横漏れを防ぐことができる。
【００９０】
上述の幅方向伸縮機構５１、５１（図５Ａ及び図５Ｂ）と、前後方向伸縮機構５２、５２（図６）とは、組み合わせることができる。この場合、例えば、前方及び／又は後方の幅方向伸縮機構５１と前後方向伸縮機構５２、５２とを組み合わせてもよい。幅方向伸縮機構５１と前後方向Ｄ１伸縮機構５２とを備えていることで、貫通孔４０及びその周囲の領域を、前後方向Ｄ１にも幅方向Ｄ２にも湾曲させることができ、ドーム状に肌方向に容易に盛り上げることができる。これにより、吸収性物品と主たるおむつとの間に空間を形成することが容易になる。よって、排泄物の排出があった後に排泄物が主たるおむつ上で面方向に広がっても、排泄物が装着者の肌により一層付着し難くなる。
【００９１】
（ポケット形成用シート）
図７に、本発明の別の実施形態による吸収性物品１００Ｃを示す。吸収性物品１００Ｃは、基本的な構成は吸収性物品１００（図１Ａ）と同じであるが、裏面シート２２側にポケット形成用シート２８が設けられている点で、吸収性物品１００と異なる。
【００９２】
図７に示すように、ポケット形成用シート２８は、貫通孔４０を覆う範囲で設けられていればよい。よって、図示の形態ではポケット形成用シート２８の形状は長方形であるが、貫通孔４０の平面視形状の輪郭に沿った形状を有していてもよい。
【００９３】
ポケット形成用シート２８が裏面シート２２側に設けられている（裏面シート２２に、場合によっては裏面シート２２及び防液シート２５に接合されている）ことで、使用時には、裏面側にポケットを形成することができる。このポケットで、貫通孔４０を通った排泄物を受容することができるので、比較的多量の排泄物が排泄されても、排泄された位置から面方向に広がり難くなるので、横漏れを防止することができる。
【００９４】
ポケット形成用シート２８は、多孔性であることが好ましく、比較的密度の低い、例えば表面シート２１及び裏面シート２２より密度の低い不織布等から形成することができる。これにより、ポケット形成用シート２８上に落とされた排泄物を濾過し、その液体分を、裏面側に設けられた主たるおむつ（図２）に吸収させることができる。よって、水分の多い排泄物であっても、排泄物の流動性を迅速に失わせることができ、排泄物が排泄された位置から周囲へと流動して漏れることを防止することができる。
【００９５】
ポケット形成用シート２８の幅方向Ｄ２の両端部は、図７に示すように、前後方向Ｄ１に複数の襞（タック）が寄せられた状態で、裏面シート２２及び防液シート２５に接合されていると好ましい。これにより、吸収性物品１００Ｃの使用時にポケット形成用シート２８が袋状に膨らむことができるので、比較的多量の排泄物であっても受容することができる。
【符号の説明】
【００９６】
２１  表面シート
２２  裏面シート
２５  防液シート
２８  ポケット形成用シート
３０  吸収体層
４０  貫通孔    
４１  前凸部
４２  中間部
４３  後凸部
４８  肛門対向位置
５１  幅方向伸縮機構
５２  前後方向伸縮機構
５１ａ、５２ａ  弾性部材
５１ｃ  端部接着部分
１００、１００Ａ、１００Ｂ、１００Ｃ  吸収性物品
ＣＬ  前後方向中心線（第１方向Ｄ１に沿った中心線）
Ｄ１  前後方向（第１方向）
Ｄ２  幅方向（第２方向）
Ｌ  貫通孔の長さ
Ｌ１  前凸部４１の最大長さ
Ｌ２  中間部の長さ
Ｌ３  後凸部４３の最大長さ
Ｓ  積層体
Ｗ  貫通孔の幅
Ｗ１  前凸部４１の最大幅
Ｗ２  中間部の幅
【図１Ａ】
2020099445.tif 000003
【図１Ｂ】
2020099445.tif 000004
【図１Ｃ】
2020099445.tif 000005
【図２】
2020099445.tif 000006
【図３】
2020099445.tif 000007
【図４】
2020099445.tif 000008
【図５Ａ】
2020099445.tif 000009
【図５Ｂ】
2020099445.tif 000010
【図５Ｃ】
2020099445.tif 000011
【図６Ａ】
2020099445.tif 000012
【図６Ｂ】
2020099445.tif 000013
【図７】
2020099445.tif 000014